(57)【要約】【課題】携帯端末のスピーカーへの埃の入り込みを抑えることが可能な携帯端末用フィルムを提供する。【解決手段】携帯端末４０の表示画面に貼着される携帯端末用フィルム１であって、携帯端末用フィルム１は、携帯端末４０のスピーカー４１に重なる部位にメッシュ構造を有する。携帯端末用フィルム１では、メッシュ構造によって、携帯端末４０のスピーカー４１への埃の入り込みを抑えることが可能であり、携帯端末４０の美観を損ねることもない。【選択図】図１
0003221235.tif 000002
【実用新案登録請求の範囲】
【請求項１】
携帯端末の表示画面に貼着される携帯端末用フィルムであって、
前記携帯端末用フィルムは、前記携帯端末のスピーカーに重なる部位にメッシュ構造を有する、
ことを特徴とする携帯端末用フィルム。
【請求項２】
前記携帯端末用フィルムは、透光性フィルムとメッシュ部材とを備え、
前記透光性フィルムに形成されている貫通穴に前記メッシュ部材が挿入されている、
ことを特徴とする請求項１に記載の携帯端末用フィルム。
【請求項３】
前記メッシュ部材が係止部を有し、前記係止部によって前記透光性フィルムに係止されている、
ことを特徴とする請求項２に記載の携帯端末用フィルム。
【請求項４】
前記透光性フィルムは、貫通穴の周囲に窪みを有し、
前記メッシュ部材の縁が係止部として張り出しており、
前記係止部が前記窪みに入り込んで前記メッシュ部材が前記透光性フィルムに係止されている、
ことを特徴とする請求項３に記載の携帯端末用フィルム。
【請求項５】
前記透光性フィルムは、前記メッシュ部材が挿入されている側の面に粘着剤層を有し、
前記粘着剤層は前記係止部まで延びて、前記メッシュ部材が前記透光性フィルムに固定されている、
ことを特徴とする請求項４に記載の携帯端末用フィルム。
【考案の詳細な説明】
【技術分野】
【０００１】
本考案は、携帯端末用フィルムに関する。
【背景技術】
【０００２】
多機能携帯電話やタブレット等、表示画面を備えた携帯端末が広く普及している。そして、表示画面の保護や機能性の向上のため、それぞれの携帯端末の表示画面側の形状に応じた保護フィルムや防指紋フィルム、反射防止フィルム等の各種の携帯端末用フィルムが市販され、ユーザー等が表示画面に貼付し使用している。
【０００３】
携帯端末の表示画面に近接してスピーカーが配置されている場合では、スピーカーからの音声を遮ることがないよう、携帯端末用フィルムには、スピーカーに応じた形状の貫通穴が形成されている（例えば、特許文献１〜３）。
【先行技術文献】
【特許文献】
【０００４】
【特許文献１】特開２０１６−２０８１３８号公報
【特許文献２】特開２０１６−１９６３８３号公報
【特許文献３】特開２０１６−１００７７５号公報
【考案の概要】
【考案が解決しようとする課題】
【０００５】
これまでの携帯端末用フィルムでは、携帯端末のスピーカーに重なる部位に形成されている貫通穴を通じて、携帯端末のスピーカーに埃や塵等が入り込んでしまう。この貫通穴に入り込んだ埃等の除去は困難であり、携帯端末の美観を損ねている。
【０００６】
本考案は、上記事項に鑑みてなされたものであり、その目的とするところは、携帯端末のスピーカーへの埃の入り込みを抑えることが可能な携帯端末用フィルムを提供することにある。
【課題を解決するための手段】
【０００７】
本考案に係る携帯端末用フィルムは、
携帯端末の表示画面に貼着される携帯端末用フィルムであって、
前記携帯端末用フィルムは、前記携帯端末のスピーカーに重なる部位にメッシュ構造を有する、
ことを特徴とする。
【０００８】
また、前記携帯端末用フィルムは、透光性フィルムとメッシュ部材とを備え、
前記透光性フィルムに形成されている貫通穴に前記メッシュ部材が挿入されていることが好ましい。
【０００９】
また、前記メッシュ部材が係止部を有し、前記係止部によって前記透光性フィルムに係止されていることが好ましい。
【００１０】
また、前記透光性フィルムは、貫通穴の周囲に窪みを有し、
前記メッシュ部材の縁が係止部として張り出しており、
前記係止部が前記窪みに入り込んで前記メッシュ部材が前記透光性フィルムに係止されていることが好ましい。
【００１１】
また、前記透光性フィルムは、前記メッシュ部材が挿入されている側の面に粘着剤層を有し、
前記粘着剤層は前記係止部まで延びて、前記メッシュ部材が前記透光性フィルムに固定されていることが好ましい。
【考案の効果】
【００１２】
本考案に係る携帯端末用フィルムでは、携帯端末のスピーカーへの埃の入り込みを抑えることが可能である。
【図面の簡単な説明】
【００１３】
【図１】携帯端末用フィルムが携帯端末に貼り付けられる様子を示す斜視図である。
【図２】メッシュ部材の平面図である。
【図３】図２のＡ−Ａ’断面図である。
【図４】図４（Ａ）〜（Ｃ）は、メッシュ部材が透光性フィルムの貫通穴に挿入され、粘着剤層が形成される様子を示す断面図である。
【図５】他の形態に係るメッシュ部材の断面図である。
【図６】他の形態に係るメッシュ部材の平面図である。
【図７】他の形態に係るメッシュ部材の平面図である。
【考案を実施するための形態】
【００１４】
本実施の形態に係る携帯端末用フィルム１は、図１に示すように、携帯端末４０の表示画面、より詳細には、携帯端末４０の最外面に配置されているカバーパネル面に貼着されるフィルムである。そして、携帯端末用フィルム１は、携帯端末のスピーカー４１に重なる部位がメッシュ構造である。このメッシュ構造の部位は、携帯端末４０のスピーカー４１の形状に応じた形状に形成されている。
【００１５】
ここでは、携帯端末用フィルム１は、透光性フィルム１０、メッシュ部材２０、及び、粘着剤層３０を備えている。
【００１６】
透光性フィルム１０は、無色透明或いは有色透明の透光性を有するフィルムであり、携帯端末４０の表示画面、より詳細にはカバーパネル面に応じた形状をしている。透光性フィルム１０の厚みは、例えば、０．２ｍｍ〜０．５ｍｍであり、ガラス製、又は、アクリル樹脂等の合成樹脂製などの素材から形成されている。
【００１７】
メッシュ部材２０は、図２、図３に示されているように、係止部２１、挿入部２２、孔２３を有している。メッシュ部材２０は、透光性フィルム１０に形成されている貫通穴１１に挿入され、固定されている。
【００１８】
メッシュ部材２０の縁は、係止部２１として機能する。挿入部２２は、係止部２１の内側に位置し、ここでは閉ループ状に、厚み方向に突出している。挿入部２２の突出高さ（図３に示す「ｈ」）は、透光性フィルム１０の厚み以下に設定される。また、係止部２１の厚みは透光性フィルム１０の厚みより小さく、挿入部２２の高さよりも大きく設定される。
【００１９】
挿入部２２で囲われた内側領域には、携帯端末４０のスピーカー４１から出る音を遮らないよう、複数の孔２３が形成されている。
【００２０】
上記のメッシュ部材２０は、図４（Ａ）〜（Ｃ）に示すように、透光性フィルム１０に形成されている貫通穴１１に挿入され、固定されている。
【００２１】
透光性フィルム１０の貫通穴１１は、図４（Ａ）に示すように、メッシュ部材２０の係止部２１及び挿入部２２の外輪郭に応じた形状である。また、透光性フィルム１０の貫通穴１１の周囲には、窪み１２が形成されている。この窪み１２は、係止部２１に応じた形状であり、係止部２１の厚み以上に設定されている。
【００２２】
そして、図４（Ｂ）に示すように、メッシュ部材２０は、透光性フィルム１０の窪み１２が形成されている側から貫通穴１１に挿入されている。そして、係止部２１が窪み１２に当接し軽視される。これにより、メッシュ部材２０が透光性フィルム１０の貫通穴１１を通過しないよう係止される。
【００２３】
そして、図４（Ｃ）に示すように、透光性フィルム１０に粘着剤層３０が形成される。粘着剤層３０は、携帯端末４０の表示画面に密着し、携帯端末用フィルム１を携帯端末４０の表示画面に固定する機能を果たす。粘着剤層３０は、メッシュ部材２０が挿入される側の全域にわたって形成されており、メッシュ部材２０の係止部２１にまで延びている。粘着剤層３０がメッシュ部材２０の係止部２１にまで介在することにより、メッシュ部材２０が透光性フィルム１０に十分に固定される。このため、携帯端末用フィルム１が携帯端末４０に貼り付けられる前においても、透光性フィルム１０からメッシュ部材２０が脱落することもない。
【００２４】
なお、粘着剤層３０は、例えば、高透明性接着剤転写テープ、中間基材、粘着剤の三層構造からなる粘着用シートであってもよい。粘着用シートは透光性フィルム１０と同じ形状に形成されている。高透明性接着剤転写テープが透光性フィルム１０に貼着される面であり、粘着剤が携帯端末４０に貼り付けられる面である。粘着剤としては透光性及び粘着性を有するシリコーン樹脂、ウレタン樹脂等であり、高透明性接着剤転写テープよりも粘着力の弱いものが用いられている。
【００２５】
以上のように、携帯端末用フィルム１は、携帯端末４０のスピーカー４１に重なる部位にメッシュ部材２０を有しているので、携帯端末４０のスピーカー４１への埃等の入り込みを抑えることができる。これにより、携帯端末４０のスピーカー４１が詰まって美観を損なうこともない。また、メッシュ部材２０自身による意匠的効果も奏し、携帯端末用フィルム１が携帯端末４０に貼り付けられることで、携帯端末４０のデザイン性向上にも資する。
【００２６】
なお、メッシュ部材２０は、ステンレス等の金属製の他、アクリル樹脂等の合成樹脂製であってもよい。また、メッシュ部材２０は塗装されていてもよい。
【００２７】
また、メッシュ部材２０は、図５に示すように、挿入部２２の内側領域の厚みが挿入部２２と同じ厚みであってもよい。
【００２８】
また、ここでは複数の円形状の孔２３が配列されているが、孔２３は音を遮らなければ、孔２３の形状、配列は問わない。例えば、図６に示すように、四角形などの多角形状の孔２３が配列されていても、図７に示すように、複数のスリット状の孔２３であってもよい。
【００２９】
また、係止部２１は、例えば、図７に示すように、挿入部２２の周囲から部分的に張り出すように形成されていてもよい。
【００３０】
本考案は、本考案の広義の精神と範囲を逸脱することなく、様々な実施の形態及び変形が可能とされるものである。また、上述した実施の形態は、本考案を説明するためのものであり、本考案の範囲を限定するものではない。すなわち、本考案の範囲は、実施の形態ではなく、実用新案登録請求の範囲によって示される。そして、実用新案登録請求の範囲内及びそれと同等の考案の意義の範囲内で施される様々な変形が、本考案の範囲内とみなされる。
【符号の説明】
【００３１】
１    携帯端末用フィルム
１０    透光性フィルム
１１    貫通穴
１２    窪み
２０    メッシュ部材
２１    係止部
２２    挿入部
２３    孔
３０    粘着剤層
４０    携帯端末
４１    スピーカー
【図１】
0003221235.tif 000003
【図２】
0003221235.tif 000004
【図３】
0003221235.tif 000005
【図４】
0003221235.tif 000006
【図５】
0003221235.tif 000007
【図６】
0003221235.tif 000008
【図７】
0003221235.tif 000009